(57)【要約】【課題】雄部材の係合片と雌部材の被係合部とが係合されることで、雄部材と雌部材とが連結状態となるバックルにおいて、不慮に係合片と被係合部との係合が解除されることで、雄部材と雌部材とが分離状態となってしまうことを防止できるバックルを提供すること。【解決手段】雌部材５と雄部材６とを備えたバックルであって、第１被係合部１３と第１係合片２０及び第２被係合部１４と第２係合片２１が係合されることで雌部材５と雄部材６とが連結状態となり、雌部材５の前後に別々に設けられた第１操作部１１及び第２操作部１２双方を介して第１係合片２０と第１被係合部１３との係合及び第２係合片２１と第２被係合部１４との係合を解除しない限り、雄部材５と雌部材６とが分離状態とならないようにした。【選択図】図６
2007244543.tif 000002
【特許請求の範囲】
【請求項１】
前板部と後板部とを有する略扁平筒状をなし、一端に開口部が形成された雌部材と、一端に前記開口部から前記雌部材内に挿入される挿入部が形成された雄部材と、からなるバックルであって、
前記挿入部には、前記前板部の内面に形成された第１被係合部に弾性係合可能な第１係合片と、前記後板部の内面に形成された第２被係合部に弾性係合可能な第２係合片と、が形成され、前記前板部には、前記第１係合片を外方から押圧操作して前記第１被係合部との係合を解除可能な第１操作部が設けられるとともに、前記後板部には、前記第２係合片を外方から押圧操作して前記第２被係合部との係合を解除可能な第２操作部が前記第１操作部とは別個に設けられ、前記第１操作部及び前記第２操作部双方を介して前記第１係合片と前記第１被係合部との係合及び前記第２係合片と前記第２被係合部との係合を解除しない限り、前記雄部材と前記雌部材とが分離状態とならないことを特徴とすることを特徴とするバックル。
【請求項２】
前記第１操作部は、前記前板部に形成された割溝を介して前記第１係合片を押圧自在に設けられた第１操作片にて構成されるとともに、前記第２操作部は、前記後板部に形成された割溝を介して前記第２係合片を押圧自在に設けられた第２操作片にて構成され、前記第１被係合部及び前記第２被係合部は前記割溝の内周面にて構成されていることを特徴とする請求項１に記載のバックル。
【請求項３】
前記第１操作片は、前記割溝に係合した状態で前記第１係合片により外方に向けて押圧され、前記第２操作片は、前記割溝に係合した状態で前記第２係合片により外方に向けて押圧されるようになっていることを特徴とする請求項２に記載のバックル。
【請求項４】
前記割溝は略円形に構成されているとともに、前記第１係合片及び前記第２係合片の先端形状は、前記割溝の曲率とほぼ同一の曲率を有する湾曲状に形成されていることを特徴とする請求項２または３に記載のバックル。
【請求項５】
前記第１係合片及び前記第２係合片は、前記挿入部に形成された弾性片の先端部を前後方向に二股状に分割形成することにより構成されていることを特徴とする請求項１ないし４のいずれかに記載のバックル。
【請求項６】
前記雌部材及び前記雄部材は、断面形状が前後対称になるように構成されていることを特徴とする請求項１ないし５のいずれかに記載のバックル。
【発明の詳細な説明】
【技術分野】
【０００１】
本発明は、紐状部材の端部同士を互いに連結することができるとともに、押圧操作により係合を解除することで両紐状部材を分離することができるバックルに関する。
【背景技術】
【０００２】
従来、この種のバックルとしては、板状をなす雄部材が、扁平筒状をなす雌部材への差し込みに伴って該雌部材の前板部の内面に弾性変形状態で先端が接する弾性片（係合片）を備えるとともに、雌部材の前板部には、弾性片の先端部に掛合する掛合部（被係合部）が設けられ、雌部材に設けられた操作片を内部に向けて押圧操作することにより、弾性片を掛合部との掛合（係合）状態を解く向きに弾性変形させるようにしたものがある（例えば、特許文献１参照）。
【０００３】
【特許文献１】特開２０００−１０６号公報（第６頁、第１９図）
【発明の開示】
【発明が解決しようとする課題】
【０００４】
しかしながら、特許文献１に記載のバックルにあっては、雌部材の前板部の操作片を押圧することで、弾性片（係合片）と雌部材の掛合部（被係合部）との掛合状態が解除されるので、片手でも解除操作が可能になっているが、雌部材の前板部側のみに操作片が設けられていることで、不慮に操作片が押圧されたり、操作片に物が当たることで、使用者の意図しないときに雌部材と雄部材との掛合状態が解除されてしまう虞がある。
【０００５】
本発明は、このような問題点に着目してなされたもので、雄部材の係合片と雌部材の被係合部とが係合することで、雄部材と雌部材とが連結状態となるバックルにおいて、係合片と被係合部との係合が不慮に解除され、雄部材と雌部材とが分離状態となってしまうことを防止できるバックルを提供することを目的とする。
【課題を解決するための手段】
【０００６】
前記課題を解決するために、本発明の請求項１に記載のバックルは、
前板部と後板部とを有する略扁平筒状をなし、一端に開口部が形成された雌部材と、一端に前記開口部から前記雌部材内に挿入される挿入部が形成された雄部材と、からなるバックルであって、
前記挿入部には、前記前板部の内面に形成された第１被係合部に弾性係合可能な第１係合片と、前記後板部の内面に形成された第２被係合部に弾性係合可能な第２係合片と、が形成され、前記前板部には、前記第１係合片を外方から押圧操作して前記第１被係合部との係合を解除可能な第１操作部が設けられるとともに、前記後板部には、前記第２係合片を外方から押圧操作して前記第２被係合部との係合を解除可能な第２操作部が前記第１操作部とは別個に設けられ、前記第１操作部及び前記第２操作部双方を介して前記第１係合片と前記第１被係合部との係合及び前記第２係合片と前記第２被係合部との係合を解除しない限り、前記雄部材と前記雌部材とが分離状態とならないことを特徴としている。
この特徴によれば、雌部材の前後に個別に設けられた第１操作部または第２操作部のいずれかを介して、第１係合片と第１被係合部との係合または第２係合片と第２被係合部との係合のいずれか一方が不慮に解除されたとしても、他方の係合が解除されることがないので、使用者の意図しないときに雌部材と雄部材との連結状態が解除されることが防止される。また、第１操作部及び第２操作部は雌部材の前後に設けられるので、雌部材の前後方向から両操作部を挟み込むように押圧することで、雄部材と雌部材とを簡単に分離状態とすることができる。
【０００７】
本発明の請求項２に記載のバックルは、請求項１に記載のバックルであって、
前記第１操作部は、前記前板部に形成された割溝を介して前記第１係合片を押圧自在に設けられた第１操作片にて構成されるとともに、前記第２操作部は、前記後板部に形成された割溝を介して前記第２係合片を押圧自在に設けられた第２操作片にて構成され、前記第１被係合部及び前記第２被係合部は前記割溝の内周面にて構成されていることを特徴としている。
この特徴によれば、第１被係合部及び第２被係合部と割溝とを別個に形成する場合に比べて前板部及び後板部の形状が簡素化されるため、成型が容易になるばかりか、各操作片の近傍に各被係合部が形成されるため、各被係合部と各係合片との係合を確実に解除することができる。
【０００８】
本発明の請求項３に記載のバックルは、請求項２に記載のバックルであって、
前記第１操作片は、前記割溝に係合した状態で前記第１係合片により外方に向けて押圧され、前記第２操作片は、前記割溝に係合した状態で前記第２係合片により外方に向けて押圧されるようになっていることを特徴としている。
この特徴によれば、第１係合片が第１被係合部に係合した状態及び第２係合片が第２被係合部に係合した状態において、各係合片の弾性復帰力にて各操作片が外方に向けて押圧された状態で保持され、各操作片が雌部材の内部に向けて沈むことがないので、各操作片の押圧操作が容易になる。
【０００９】
本発明の請求項４に記載のバックルは、請求項２または３に記載のバックルであって、
前記割溝は略円形に構成されているとともに、前記第１係合片及び前記第２係合片の先端形状は、前記割溝の曲率とほぼ同一の曲率を有する湾曲状に形成されていることを特徴としている。
この特徴によれば、係合作用により雄部材の分離方向への逸脱が規制されるばかりか、左右方向の移動も規制されるので、連結状態でのがたつきが効果的に防止される。
【００１０】
本発明の請求項５に記載のバックルは、請求項１ないし４のいずれかに記載のバックルであって、
前記第１係合片及び前記第２係合片は、前記挿入部に形成された弾性片の先端部を前後方向に二股状に分割形成することにより構成されていることを特徴としている。
この特徴によれば、一方の係合片が押圧操作されたときに、他方の係合片が係合方向に向けて押圧されるので、一方の係合片のみが押圧されたときにおける他方の係合片の被係合部との係合が解除されることが効果的に防止される。
【００１１】
本発明の請求項６に記載のバックルは、請求項１ないし５のいずれかに記載のバックルであって、
前記雌部材及び前記雄部材は、断面形状が前後対称になるように構成されていることを特徴としている。
この特徴によれば、雌部材及び雄部材の製造が容易になるとともに、雄部材の前後を反対にして挿入部を雌部材内に挿入することもでき、バックルが使い易くなる。
【発明を実施するための最良の形態】
【００１２】
本発明に係るバックルを実施するための最良の形態を実施例に基づいて以下に説明する。
【実施例】
【００１３】
本発明の実施例を図面に基づいて説明すると、先ず図１は、実施例におけるバックルの使用状態を示す斜視図であり、図２は、連結状態のバックルを示す斜視図であり、図３は、分離状態のバックルを示す斜視図であり、図４は、連結状態のバックルを示す正面図であり、図５は、分離状態のバックルを示す正面図であり、図６は、図４におけるバックルを示すＡ−Ａ縦断側面図であり、図７は、操作片が押圧された状態のバックルを示す縦断側面図であり、図８は、図５におけるバックルを示すＢ−Ｂ縦断側面図である。以下、図２、図３、図６、図７及び図８の紙面上方側をバックルの正面側（前方側）とし、図４及び図５の紙面手前側をバックルの正面側（前方側）として説明する。
【００１４】
図１の符号１は、本発明の適用されたバックルであり、このバックル１は、使用者の首や手首等に吊り下げ可能な紐状部材としてのストラップ２に携帯電話３やその他の被吊体を取り付けるために利用される。詳しくは、携帯電話３に取り付けられた紐状部材としての接続紐４がバックル１の一端に取り付けられるとともに、バックル１の他端にストラップ２が取り付けられている。
【００１５】
図２及び図３に示すように、バックル１は、略扁平筒状をなす雌部材５と、この雌部材５に連結される雄部材６とで構成されている。雌部材５は、正面側に形成された前板部７と、背面側に形成された後板部８（図６参照）とを有し、雌部材５の一端には、接続紐４が取り付けられる前後方向に貫通された取付部としての取付孔９が形成されているとともに、取付孔９が形成された端部の反対側の他端には、後述する雄部材６の挿入部１８が挿入される開口部１０が形成されている（図８参照）。
【００１６】
図４及び図６に示すように、バックル１を構成する雌部材５及び雄部材６は、前方側及び後方側で同一形状をなしており、その縦断面形状が、前後対称の形状となっている。更に、雌部材５と雄部材６とが連結された状態のバックル１の外観形状は、左右方向に同一形状をなすとともに、上下方向にも同一形状をなしている。
【００１７】
雌部材５の前板部７及び後板部８の中央部には、略円形状をなす操作片１１，１２が設けられるとともに、この操作片１１，１２の外周には割溝１３，１４が形成され、この割溝１３，１４は、雌部材５の内部側に貫通されている。尚、前板部７に形成された割溝１３の内周面が本発明の第１被係合部を構成するとともに、後板部８に形成された割溝１４の内周面が本発明の第２被係合部を構成している。
【００１８】
また、操作片１１，１２の外周の一部には、前板部７及び後板部８と接合された接合部１５，１６が形成されており、この接合部１５，１６は、その前後方向の幅が前板部７及び後板部８の前後方向の幅よりも薄くなるように形成され、操作片１１，１２は接合部１５，１６を軸として弾性変形により前後方向に揺動可能となっている（図８参照）。
【００１９】
尚、操作片１１，１２はその中央部が外方側に膨出するように形成された略半球形状をなしており、使用者は操作片１１，１２の中央部を押圧することで、操作片１１，１２を前後方向から雌部材５内に押し込むことができる。後述するように、操作片１１，１２が押圧されることによって係合片２０，２１が弾性変形され、連結状態の雌部材５と雄部材６とが分離される。
【００２０】
一方、図５及び図８に示すように、雄部材６の一端には、ストラップ２が取り付けられる前後方向に貫通された取付部としての取付孔１７が形成されている。また、雄部材６における取付孔１７が形成された端部の反対側の端部には、雌部材５の開口部１０から雌部材５内部に挿入される挿入部１８が形成されている。
【００２１】
挿入部１８には、中央部に貫通孔１９が形成され、貫通孔１９の内周から貫通孔１９内に向かって延設された正面視で略扇形状をなす２つ係合片２０，２１が前後に重畳されて配置されている。この２つの係合片２０，２１は、図６〜図８に示すように、その配置形状が側断面視で略Ｖ字形状をなし、前側に配置される係合片２０が本発明の第１係合片を構成するとともに、後側に配置される係合片２１が本発明の第２係合片を構成している。
【００２２】
具体的には、中央に貫通孔１９が形成された四角枠状の挿入部１８の先端辺部１８ａ（図５参照）から中央の貫通孔１９内に向けて延設された弾性片（係合片）の先端部が、前後に二股状に分割形成されることにより係合片２０，２１が形成されている。つまり、これら係合片２０，２１の基端部は一体化されているとともに、先端部に向かうに従い互いに離間する方向に傾斜するように形成されている。
【００２３】
また、係合片２０，２１の端部は、割溝１３，１４の内周面に係合できるように、割溝１３，１４と同様な曲率で湾曲した縁辺として形成された係合端部２０ａ，２１ａを有しており、雌部材５と雄部材６との連結状態において、湾曲状の係合端部２０ａ，２１ａが前板部７及び後板部８の割溝１３，１４の内周面に沿って係合するようになっている。
【００２４】
さらに、係合片２０の前面２０ｂ（図６参照）は、先端辺部１８ａ側から貫通孔１９内に向けて、つまり雌部材５の雄部材６への挿入側端部から他端部に向けて漸次前側に向けて緩やかに傾斜する傾斜面として形成されているとともに、係合片２１の後面２１ｂ（図６参照）は、先端辺部１８ａ側から貫通孔１９内に向けて、つまり雌部材５の雄部材６への挿入側端部から他端部に向けて漸次後側に向けて緩やかに傾斜する傾斜面として形成されている。
【００２５】
図８に示すように、雌部材５の前板部７及び後板部８の内面側における開口部１０近傍には、互いに平行をなすように配置される平行案内面２２，２３が形成されているとともに、雌部材５の内方側から外方側（他端側）に向けて広がるように傾斜された傾斜案内面２４，２５が形成されている。
【００２６】
図６から図８に示すように、雌部材５と雄部材６とを連結させるときには、使用者は、雌部材５及び雄部材６の取付孔９，１７近傍を各々指で摘み、雌部材５及び雄部材６を互いに近づけて挿入部１８を開口部１０から雌部材５内に挿入する。
【００２７】
雄部材６の挿入部１８が開口部１０から挿入されたときに、雌部材５に平行案内面２２，２３が形成されていることで、係合片２０，２１が平行案内面２２，２３に摺接しながら挿入部１８が案内され、更に、係合片２０，２１が傾斜案内面２４，２５に当接すると、前後の係合片２０，２１の同士が互いに近づくように弾性変形しながら、挿入部１８が雌部材５内部に挿入されるようになっている。
【００２８】
図５に示すように、係合片２０，２１が傾斜案内面２４，２５を乗り越えると、係合片２０，２１は弾性復帰力により、前後の係合片２０，２１同士が互いに離れる方向に復元変形され、前後に配置される係合端部２０ａ，２１ａが、前板部７及び後板部８の割溝１３，１４の内周面に係合される。これにより雄部材６は雌部材５から離脱する方向への移動が規制され、雄部材６と雌部材５とが連結状態となる（図６参照）。
【００２９】
尚、割溝１３，１４が円形状をなし、その割溝１３，１４の内周面に、湾曲状の係合端部２０ａ，２１ａが係合されることで、雄部材６は雌部材５から離脱する方向への移動が規制されるばかりか、雄部材６の雌部材５に対する左右方向（図４における紙面上下方向）へのがたつきが防止される。
【００３０】
また、図６に示すように、雌部材５と雄部材６とが連結状態のときに、前後に配置されている各々の操作片１１，１２の先端が係合片２０の前面２０ｂ及び後面２１ｂに当接される。このとき前板部７に設けられた操作片１１の膨出された中央部は、前板部７よりも前方側に突出され、その突出長は、前方側の係合片２０が前後方向に弾性変形される変形量よりも大きくなるように形成されている。また、後板部８に設けられた操作片１２の膨出された中央部も同様に、後板部８よりも後方側に突出され、その突出長は、後方側の係合片２１が前後方向に弾性変形される変形量よりも大きくなるように形成されている。
【００３１】
さらに、操作片１１，１２の先端が係合片２０の前面２０ｂ及び後面２１ｂに当接することで、図６に示すように、操作片１１，１２の先端が、係合片２０，２１の弾性復帰力により外向きに押圧され、操作片１１，１２の先端が雌部材５の内部に向けて沈む（前垂れ）ことがなく、操作片１１，１２の中央部が前板部７や後板部８の表面よりも外方に膨出した状態となるので、操作片１１，１２による係合片２０，２１の押圧操作が容易になる。
【００３２】
尚、円形状をなす操作片１１，１２の外周に割溝１３，１４が形成され、かつ操作片１１，１２の揺動の軸となる接合部１５，１６が形成されていることで、操作片１１，１２が雌部材５内に向かって弾性変形し易くなっており、使用者が操作片１１，１２を押圧操作して係合片２０，２１と割溝１３，１４との係合状態を解除するときに、少ない押圧力で押圧操作ができるようになっている。
【００３３】
図６から図８に示すように、雌部材５と雄部材６とを分離させるときには、使用者は、雌部材５の操作片１１，１２を前後方向から指で挟み込むように摘み、操作片１１，１２双方を雌部材５の内方側に押し込む。すると、雌部材５の内部に配置された前後の係合片２０，２１同士が互いに近づくように弾性変形され、これにより操作片１１，１２の係合端部２０ａ，２１ａと割溝１３，１４の内周面との係合が解除される（図７参照）。この状態で、操作片１１，１２の前端部２０ａ，２１ａが係合片２０の前面２０ｂ及び係合片２１の後面２１ｂの傾斜面に摺接していることで、前端部２０ａ，２１ａの内向きの移動により、係合片２０，２１、すなわち、雄部材６を雌部材５から離脱する方向に向けて押し出す力が働くため、雌部材５の開口部１０側に向けて係合片２０，２１が移動する。
【００３４】
係合片２０，２１が傾斜案内面２４，２５まで移動されると、前後の係合片２０，２１同士が互いに離れる方向に復元変形され、係合片２０，２１が有する弾性力と、その復元変形される係合片２０，２１が傾斜案内面２４，２５に当接されたときの勢いによって挿入部１８が外方側に移動し、雄部材６は雌部材５から離脱する方向に飛び出すようになっている。このとき係合片２０，２１が前後方向から平行案内面２２，２３に摺接した状態で案内されるので、挿入部１８は雌部材５の外方側に向けて真っ直ぐに進むようになっており、挿入部１８及び係合片２０，２１が雌部材５の内部で引っ掛かることなく雄部材６と雌部材５との分離がスムーズに行われる。
【００３５】
以上説明したように、本発明の本実施としてのバックル１においては、前板部７に形成された割溝１３に係合される係合片２０と、後板部８に形成された割溝１４の係合される係合片２１とが、別個に設けられた操作片１１，１２によって押圧されて係合状態の解除が行われるため、前板部７側及び後板部８側のいずれか一方に設けられた操作片１１（１２）が押圧され、一方の割溝１３（１４）と係合片２０（２１）との係合状態が解除されたとしても、他方の割溝１４（１３）と係合片２１（２０）の係合状態は維持されるようになっている。そのため不慮に一方の操作片１１（１２）が押圧され、一方の割溝１３（１４）と係合片２０（２１）との係合状態が解除されても、他方の割溝１４（１３）と係合片２１（２０）の係合状態は維持されるため、使用者の意図しないときに雌部材５と雄部材６との連結状態が解除されてしまうことが防止される。
【００３６】
また、第１操作部としての操作片１１及び第２操作部としての操作片１２は雌部材５の前後に設けられるので、雌部材５の前後方向から両操作部１１，１２を挟み込むように押圧することで、雄部材５と雌部材６とを簡単に分離状態とすることができる。
【００３７】
また、操作片１１，１２は、前板部７及び後板部８に形成された割溝１３，１４を介して係合片２０，２１を押圧自在に設けられ、連結状態において割溝１３，１４の内周面に係合されるようになっているため、係合片２０，２１が係合される被係合部と割溝１３，１４とを別個に形成する場合に比べて前板部７及び後板部８の形状が簡素化されるため、成型が容易になるばかりか、各操作片１１，１２の近傍に各被係合部１３，１４が形成されるため、各被係合部１３，１４と各係合片１１，１２との係合を確実に解除することができる。
【００３８】
さらに、これら操作片１１，１２は、割溝１３，１４に係合した状態で係合片２０，２１により外方に向けて押圧されるようになっていることで、係合片２０，２１が割溝１３，１４に係合した状態において、各係合片２０，２１の弾性復帰力にて各操作片１１，１２が外方に向けて押圧された状態で保持され、各操作片１１，１２が雌部材５の内部に向けて沈むことがないので、各操作片１１，１２の押圧操作が容易になる。
【００３９】
また、係合片２０，２１は、挿入部１８に形成された弾性片の先端部を前後方向に二股状に分割形成することにより構成され、これら係合片２０，２１の基部が一体化されているため、一方の係合片２０（２１）が内向きに押圧操作されたときに、他方の係合片２１（２０）が割溝１４（１３）との係合方向、つまり後側（前側）に向けて押圧されて深く係合するので、一方の係合片２０（２１）のみが押圧されたときにおける他方の係合片２１（２０）の割溝１３，１４との係合が解除されることが効果的に防止される。
【００４０】
また、操作片１１，１２が外方側（前後方向）に膨出されていることで、雌部材５と雄部材６とを分離する際に、使用者が操作片１１，１２を前後方向から指で摘まんで押圧したときに、操作片１１が前板部７の表面と同じ位置、及び操作片１２が後板部８の表面と同じ位置になるまで押圧したときに（図７参照）、係合片２０，２１は割溝１３，１４から外れた状態となるので、操作片１１，１２の押圧操作の際に、指を前板部７及び後板部８の表面よりも内方まで押し込むことなく操作片１１，１２を押圧でき、雌部材５と雄部材６との分離操作がし易くなる。
【００４１】
更に、雌部材５及び雄部材６が前後対称になっていることで、雌部材５及び雄部材６を製造し易くなるとともに、雄部材６の前後面を反対にして挿入部１８を雌部材５内に挿入することもできるばかりか、前後の操作片１１，１２を同じ押圧力で操作できるようになり、バックル１が使い易くなる。
【００４２】
以上、本発明の実施例を図面により説明してきたが、具体的な構成はこれら実施例に限られるものではなく、本発明の要旨を逸脱しない範囲における変更や追加があっても本発明に含まれる。
【００４３】
例えば、前記実施例では、雌部材５及び雄部材６の断面形状が前後対称になっていたが、断面形状は前後対称である必要はなく、前板部７に形成される操作片１１と後板部８に形成される操作片１２との形状が異なっていてもよい。
【００４４】
また、前記実施例では、雌部材５における前板部７及び後板部８の両面に、第１操作部及び第２操作部として操作片１１，１２が形成されていたが、必ずしも操作片１１，１２を形成する必要はなく、割溝１３，１４を円形状の貫通孔として形成してこれを第１操作部及び第２操作部とし、該貫通孔を介して係合片２０，２１を外方から直接指を挿入して各係合片２０，２１を直接指で押圧操作することで、係合状態を解除できるものであってもよい。
【００４５】
また、前記実施例では、第１係合片としての係合片２０と第１被係合部としての割溝１３との係合及び第２係合片としての係合片２１と第２被係合部としての割溝１４との係合が解除されない限り雄部材６と雌部材５とが分離状態とならないようになっているが、例えばこれら係合片２０，２１と割溝１３，１４との係合深さを所定深さとし、雄部材６と雌部材５とを互いに分離させる方向に向けて所定以上の力が働いたときに、操作片１１，１２等を介して係合を解除することなく、係合片２０，２１と割溝１３，１４との係合が強制的に解除されるようにしてもよく、このようにすれば、バックル１に強い引っ張り力がかかった場合（例えば携帯電話３が何かに引っ掛かった場合等）に、その力が全て使用者に伝わって怪我をすること等が防止されるので、安全性が向上する。
【００４６】
また、前記実施例に記載のバックル１は、雄部材６及び雌部材５の端部にストラップ２や接続紐４等の紐状部材が取り付けられており、これらストラップ２と接続紐４とを接続（連結）する接続具として構成されていたが、本発明のバックルは、これらストラップや接続紐、あるいはベルト等の紐状部材同士を接続するもの、つまり挿入部や開口部が形成された一端以外の箇所に紐状部材が取り付けられるものに限定されるものではなく、例えば雄部材または雌部材のうち少なくともいずれか一方に、クリップ、フック、カラビナ等の吊支部が設けられた（取り付けられた）もの、あるいは雄部材や雌部材の本体がクリップ、フック、カラビナ等にて構成されているものであってもよい。
【図面の簡単な説明】
【００４７】
【図１】実施例におけるバックルの使用状態を示す斜視図である。
【図２】連結状態のバックルを示す斜視図である。
【図３】分離状態のバックルを示す斜視図である。
【図４】連結状態のバックルを示す正面図である。
【図５】分離状態のバックルを示す正面図である。
【図６】図４におけるバックルを示すＡ−Ａ縦断側面図である。
【図７】操作片が押圧された状態のバックルを示す縦断側面図である。
【図８】図５におけるバックルを示すＢ−Ｂ縦断側面図である。
【符号の説明】
【００４８】
１                バックル
２                ストラップ（紐状部材）
４                接続紐（紐状部材）
５                雌部材
６                雄部材
７                前板部
８                後板部
９                取付孔（取付部）
１１              操作片（第１操作部）
１２              操作片（第２操作部）
１３              割溝（第１被係合部）
１４              割溝（第２被係合部）
１７              取付孔
１８              挿入部
２０              係合片（第１係合片）
２１              係合片（第２係合片）
【図１】
2007244543.tif 000003
【図２】
2007244543.tif 000004
【図３】
2007244543.tif 000005
【図４】
2007244543.tif 000006
【図５】
2007244543.tif 000007
【図６】
2007244543.tif 000008
【図７】
2007244543.tif 000009
【図８】
2007244543.tif 000010